(57)【特許請求の範囲】
【請求項１】
前面板、左右側面板、後面板を有し、前面板に傾斜表示部を区画して設けた直方体状の紙箱であって、前記傾斜表示部は、傾斜表示板１０の上辺に、折込み繋止片１１を折り目線ａを介して連設して、この折込み繋止片１１の上辺を切れ目線ｂを介して前面板３０ａと区画して、また傾斜表示板１０の下辺に、水平連設片１２を折り目線ｃを介して連設して、この水平連設片１２の下辺を谷折り線ｄを介して前面板３０ａと区画して、さらに折込み繋止片１１と傾斜表示板１０と水平連設片１２との左右辺を切れ目線ｅ，ｅを介して前面板３０ａと区画してなり、
前記折込み繋止片１１は、左右辺に突起ｍ，ｍを有することを特徴とする傾斜表示板付の紙箱。
【請求項２】
請求項１に記載の、下方が飛出し可能な傾斜表示部を区画して設けた直方体状の紙箱において、傾斜表示板１０ほかの上方の、前面板３０ａの左右の側面板３０，３０，後面板３０ｂに、ほゞ水平方向の２列の、それぞれ切断方向の上流側に屈曲部を有する多数の切れ目で構成した、連続した広幅テープ状の切断開放片１５を区画して設けたことを特徴とする傾斜表示板付の紙箱。
【発明の詳細な説明】
【０００１】
【発明の属する技術分野】
本発明は、袋入りや小箱入りのスナック菓子、食品類などを幅広く収容し、運搬、保管用を兼ねた板紙製や段ボール紙製などの紙箱に関するものであり、詳しくは簡単に上部を開放でき、しかも紙箱の一部で見やすい表示板を形成できる店頭展示、販売用の傾斜表示板付の紙箱に関する。
【０００２】
【従来の技術】
従来から、袋入りや小箱入りのスナック菓子、食品類などを幅広く収容し、運搬、保管用を兼ねた板紙製や段ボール紙製などの紙箱は、例えば図３Ａに示すような、上面板２０の前辺に表示板２３を連設して、また前の側面板３０に大型Ｕ字状の展示開口３２を設けたことによって、上面板２０と表示板２３とを開蓋するだけて、簡単に上部と前部とを開蓋して内容物を展示させることができる構造であった。そして、表示板２３の下部を後の側面板３０の内側に差込むだけで、簡単に上方に飛出した表示板２３を形成することができる、店頭展示、販売用の紙箱が一般に広く用いられている。
【０００３】
また図３Ｂに示すような、上面板２０の前部に、表示板２４を折り目線ｎほかを介して区画して設けて、また左右の側面板３０,３０の後上端部から前の側面板３０の中央下部にかけて、連続した適宜の切れ目線ｏを設けたことによって、上面板２０と表示板２４とを開蓋して、折り目線ｎほかを山折りして差込み片２１を後の側面板３０の内側に差込むだけで、簡単に上方に飛出した表示板２４を形成することができる構造であった。そして連続した適宜の切れ目線ｏを切断して、左右の側面板３０,３０と前の側面板３０との上部を除去するだけで、簡単に上部を開放して内容物を露出させることができる、店頭展示、販売用の紙箱が一般に広く用いられている。
【０００４】
さらに、図３Ａ、図３Ｂの改良とした紙箱として、本願出願人は、特願平１０−２４３４９０号を出願している。その構造は、図３Ｃに示すように、前後左右の側面板３０,３０,３０,３０に、ほゞ水平方向の２列のジッパー線ｌ,ｌで構成した、連続した広幅テープ状の切断開放片１５を区画して設けて、また前の側面板３０の切断開放片１５の下側に、前方に飛出し可能な表示板１７ほかを区画して設けたことによって、ほゞ水平方向の２列のジッパー線ｌ,ｌを切断して、連続した広幅テープ状の切断開放片１５を除去するだけで、簡単に上部を開放して内容物を露出させることができる、また表示板１７を押下げながら、前方手前に引出すだけで、簡単に前方に飛出した表示板１７を形成することができる、運搬、保管用を兼ねた板紙製や段ボール紙製などの、店頭展示、販売用の飛び出し表示板付き箱を提案している。
【０００５】
【発明が解決しようとする課題】
ところで、図３Ａ,Ｂに示す従来の店頭展示、販売用の紙箱については、また図３Ｃに示す店頭展示、販売用の飛び出し表示板付き箱についても、いずれも簡単に上部などを開蓋、開放して内容物を展示、露出させることができ、またいずれも簡単に上方又は前方に飛出した表示板２３,２４,１７を形成することができる構造の、運搬、保管用を兼ねた板紙製や段ボール紙製などの、店頭展示、販売用の紙箱である。しかし、店頭で商品を顧客の目線より下に配置、展示された場合、前記の構成の紙箱は、形成した上方又は前方に飛出した表示板２３,２４,１７が、いずれも垂直であるために、顧客の目線に表示板の表示が目に付き難く、セールスポイントなどを強くアピールすることができないことが問題であった。
【０００６】
ところで、本発明の目的は、袋入りや小箱入りのスナック菓子、食品類などを幅広く収容し、運搬、保管用を兼ねた板紙製や段ボール紙製などの紙箱において店頭で表示板の表示が顧客の目線に対してセールスポイントなどを強くアピールすることができる、また簡単に上部を開放して内容物を露出させて、顧客の購買意欲を唆ることができる店頭展示、販売用として好適な傾斜表示板付の紙箱を提供することにある。
【０００７】
【課題を解決するための手段】
本発明の請求項１に係る発明は、前面板、左右側面板、後面板を有し、前面板に傾斜表示部を区画して設けた直方体状の紙箱であって、前記傾斜表示部は、傾斜表示板１０の上辺に、折込み繋止片１１を折り目線ａを介して連設して、この折込み繋止片１１の上辺を切れ目線ｂを介して前面板３０ａと区画して、また傾斜表示板１０の下辺に、水平連設片１２を折り目線ｃを介して連設して、この水平連設片１２の下辺を谷折り線ｄを介して前面板３０ａと区画して、さらに折込み繋止片１１と傾斜表示板１０と水平連設片１２との左右辺を切れ目線ｅ，ｅを介して前面板３０ａと区画してなり、
前記折込み繋止片１１は、左右辺に突起ｍ，ｍを有することを特徴とする傾斜表示板付の紙箱である。
【０００８】
本発明の請求項２に係る発明は、請求項１に係る発明の下方が飛出し可能な傾斜表示部を区画して設けた直方体状の紙箱において、傾斜表示板１０ほかの上方の、前面板３０ａの左右の側面板３０,３０，後面板３０ｂに、ほゞ水平方向の２列の、それぞれ切断方向の上流側に屈曲部を有する多数の切れ目で構成した、連続した広幅テープ状の切断開放片１５を区画して設けたことを特徴とする傾斜表示板付の紙箱である。
【０００９】
本発明の傾斜表示板付の紙箱において、１枚又は２枚以上の側面板３０に、下方が飛出し可能な傾斜表示板１０ほかを区画して設けたことについては、後述する実施例に示す１枚の前の側面板３０に限らず、例えば前後の側面板３０,３０や、また前の側面板３０と右の側面板３０とや、場合によっては、前後左右の側面板３０,３０,３０,３０に、下方が飛出し可能な傾斜表示板１０ほかを区画して設けて、店頭での商品の配置や展示状態などに応じて、適宜に１〜４枚の下方が飛出した傾斜表示板１０を形成して、広告、宣伝効果などを演出することができるものである。
【００１０】
また本発明の傾斜表示板付の紙箱については、後述する実施例に示すように、通常の印刷をした適宜の板紙などを用いて、通常の打抜型を用いた打抜工程で、無駄が少ない長方形状の傾斜表示板付の紙箱のブランクを作製して、通常の機械的な製箱、充填工程で、左の側面板３０の左端部と糊代片３１とを貼着するなどして、簡単に直方体状に製箱することができる、工程が簡単で作製費用が廉価な傾斜表示板付の紙箱を提供することができる。
【００１１】
【発明の実施の形態】
図１は、本発明の実施の形態を説明する傾斜表示板付の紙箱のブランクの平面図である。
すなわち、上辺に折込み片２２を連設した左の側面板３０と、中央部に下方が飛出し可能な傾斜表示部を区画して設けた前面板３０ａと、上辺に折込み片２２を連設した右の側面板３０と、上辺に上面板２０と差込み片２１とを連設した後面板３０ｂと、糊代片３１とを、それぞれ折り目線(符号がない１点鎖線、以下同じ)を介して順に連設して、これらの側面板３０,３０,３０,３０の下辺に、通常のオートロック式の底面板群４０,４０,４０,４０を、それぞれ折り目線を介して連設した、縦、横、高さが１２０×１０８×２１４mmの直方体状の紙箱のブランクである。
【００１２】
前面板３０ａの傾斜区画部は、傾斜表示板１０の上辺に、左右辺に突起ｍ,ｍを有する折込み繋止片１１を折り目線ａを介して連設して、この折込み繋止片１１の上辺を切れ目線ｂを介して前面板３０ａと区画して、また傾斜表示板１０の下辺に、水平連設片１２を折り目線ｃを介して連設して、この水平連設片１２の下辺を谷折り線ｄを介して前面板３０ａと区画して、さらに折込み繋止片１１と傾斜表示板１０と水平連設片１２との左右辺を切れ目線ｅ,ｅを介して前面板３０ａと区画して設けられている。
【００１３】
そして、前面板３０ａの傾斜表示板１０ほかの上方、および左右の側面板３０,３０，後面板３０ｂと糊代片３１とに、ほゞ水平方向の２列の、それぞれ切断方向の上流側に屈曲部を有する多数の切れ目を、１〜２mmのつなぎを介して直線状に並べたジッパー線ｌ,ｌで構成した、連続した広幅テープ状の切断開放片１５を設けた。この切断開放片１５は、傾斜表示部の上方の中央につまみ片１６,１６を有する切断開放片１５を、傾斜表示板１０の上方の折込み繋止片１１に接触(下方のジッパー線ｌが切れ目線ｂを共有)させて区画して設けられている。
【００１４】
本発明の実施例においては、図１に示す傾斜表示板付の紙箱のブランクを、例えば、通常の印刷をした３５０g/m2のコートボール紙を用いて、通常の打抜型を用いた打抜工程で作製するものである。
【００１５】
図２Ａは、本発明の実施例における傾斜表示板付の紙箱の斜視図であって、また図２Ｂは、前記実施例の傾斜表示板付の紙箱において、下方が飛出した傾斜表示板１０を形成した状態と上部を開放して内容物５０を露出させた状態とを示す斜視図であって、さらに図２Ｃは、図２Ｂの下方が飛出した傾斜表示板１０の部分断面図である。
【００１６】
すなわち、図１に示す傾斜表示板付の紙箱のブランクにおいて、全ての符号がない１点鎖線で示す折り目線を山折りして、左の側面板３０の左端部と糊代片３１とを貼着して、同時にオートロック式の底面板群４０,４０,４０,４０どうしを(符号がない破線で示す谷折り線を谷折りして)貼着して、内容物である袋入りスナック菓子５０,５０,５０,５０,５０,５０を収容した後に、折込み片２２,２２と上面板２０とを折込んで被せて、差込み片２１を前の側面板３０の上部の内側に差込んで繋止して、本発明の実施例における運搬、保管用として好適に用いることができる図２Ａに示す傾斜表示板付の紙箱を通常の機械的な製箱、充填工程で作製する。
【００１７】
続いて、同図２Ａに示す傾斜表示板付の紙箱において、店頭での簡単な手作業で、まず切れ目線ｂと切れ目線ｅ,ｅとを切断して、また谷折り線ｄを谷折りして、折込み繋止片１１と傾斜表示板１０と水平連設片１２とを一旦引出して、次に折り目線ａと折り目線ｃとを山折りし、図２Ｂ,Ｃに示すように、折込み繋止片１１を折込んで、袋入りスナック菓子５０と前の側面板３０との間に繋止するとともに、突起ｍ,ｍを左右の側面板３０,３０の内側に繋止することにより、簡単に下方が飛出した傾斜表示板１０を形成することができ、しかも折込み繋止片１１と水平連設片１２とが、この傾斜表示板１０の上辺と下辺とを支えて保形した店頭展示、販売用として好適な傾斜表示板付の紙箱を得ることができる。
【００１８】
また同図２Ａに示す傾斜表示板付の紙箱において、店頭での簡単な手作業で、ほゞ水平方向の２列のジッパー線ｌ,ｌを、つまみ片１６,１６を引張って切断して、連続した広幅テープ状の切断開放片１５を除去することにより、図２Ｂに示すように、簡単に上部を開放して袋入りスナック菓子５０,５０,５０,５０,５０,５０を露出させることができ、店頭展示、販売用として好適な傾斜表示板付の紙箱を得ることができる。
【００１９】
【発明の効果】
以上説明した通り、本発明の傾斜表示板付の紙箱においては、通常の印刷をした適宜の板紙や段ボール紙などを用いて、通常の打抜型を用いた打抜工程と通常の機械的な製箱、充填工程とで、運搬、保管用として好適に用いることができる傾斜表示板付の紙箱を作製することができる。
【００２０】
また、本発明の傾斜表示板付の紙箱においては、それぞれ店頭での簡単な手作業で、下方が飛出した傾斜表示板を形成した傾斜表示部とすることができる。また上部を開放して内容物を露出させることができる店頭展示、販売用として好適な傾斜表示板付の紙箱を得ることができる。
【００２１】
すなわち、本発明の傾斜表示板付の紙箱においては、袋入りや小箱入りのスナック菓子、食品類などを幅広く収容する、運搬、保管用を兼ねた板紙製や段ボール紙製などの、簡単に下方が飛出した傾斜表示板を形成して、顧客の目線にセールスポイントなどを強くアピールすることができるものであって、また簡単に上部を開放して内容物を露出させて、顧客の購買意欲を唆ることができるものであって、店頭での商品の配置や展示状態などに応じて、適宜に傾斜表示板を形成して、また適宜に内容物を露出させて、広告、宣伝効果などを演出することができる、店頭展示、販売用の傾斜表示板付の紙箱を提供することができる。
【図面の簡単な説明】
【図１】本発明の実施例１における、傾斜表示板付の紙箱のブランクの平面図である。
【図２】図２Ａは、本発明の実施例における傾斜表示板付の紙箱の斜視図、図２Ｂは、実施例の傾斜表示板付の紙箱において下方が飛出した傾斜表示板を形成した状態と上部を開放して内容物を露出させた状態とを示す斜視図、図２Ｃは、図２Ｂの下方が飛出した傾斜表示板の部分断面図である。
【図３】従来の店頭展示、販売用の紙箱の斜視図である。
【符号の説明】
１０            …傾斜表示板
１１            …折込み繋止片
１２            …水平連設片
１５            …切断開放片
１６            …つまみ片
１７,２３,２４  …表示板
２０            …上面板
２１            …差込み片
２２            …折込み片
３０            …側面板
３１            …糊代片
３２            …展示開口
４０            …底面板群
５０            …内容物、袋入りスナック菓子
ａ,ｃ,ｎ        …折り目線
ｂ,ｅ,ｏ        …切れ目線
ｄ              …谷折り線
ｌ              …ジッパー線
ｍ              …突起
【図１】
0004491887.tif 000002
【図２】
0004491887.tif 000003
【図３】
0004491887.tif 000004